(57)【要約】【課題】電気回路板の放射線状及び線形渦巻き方式によって、均一な照明を得ることが出来る照明器具の構造を提供する。【解決手段】  電気回路板を含み、前記電気回路板は、放射線状又は線形渦巻き方式で任意の形体を作成し、且つ複数個の発光体を配置すると共に、ランプカバーの中に敷き詰められている；前記ランプカバーの形態は、電気回路板に合わせて設計され、組み立てがし易いようにしてある照明器具の構造である。【選択図】  図１
0003133078.tif 000002
【実用新案登録請求の範囲】
【請求項１】
放射線状方式で作られ、且つその上に複数の発光体を配置した電気回路板と；
前記電気回路板と同じ放射線状の造形で作られたランプカバーと；を含み、
前記電気回路板は、直接ランプカバーの中に結合されることによって、ランプカバーの内部に敷き詰められ、発光体をランプカバー内部の方々に配置出来るようにしたことを特徴とする照明器具の構造。
【請求項２】
線形渦渦巻き方式で作られ、且つその上に複数の発光体を配置した電気回路板と；
前記電気回路板と同じ造形でつくられたランプカバーと；を含み、
前記電気回路板は、直接ランプカバーの中に結合されることによって、ランプカバーの内部に敷き詰められ、発光体をランプカバー内部の方々に配置出来るようにしたことを特徴とする照明器具の構造。
【請求項３】
前記電気回路板及びランプカバーの中央にはすべて結合穴を設け、照明器具の支柱に取り付け出来るようにしたことを特徴とする請求項１または２に記載の照明器具の構造。
【請求項４】
前記発光体は、LEDであってよいことを特徴とする請求項１または２に記載の照明器具の構造。
【請求項５】
前記電気回路板及びランプカバーは、締め付け部品によって相互に固定結合またはその他の位置決め方式を採用してもよいことを特徴とする請求項１または２に記載の照明器具の構造。
【請求項６】
前記ランプカバーは放熱材質によって作られてよく、電気回路板をランプカバーの内表面に貼り付けた場合、前記ランプカバーは放熱体の役割を形成することを特徴とする請求項１または２に記載の照明器具の構造。
【考案の詳細な説明】
【技術分野】
【０００１】
本考案は、照明器具の構造、特に組み立てが便利で均一に照明できる照明器具の構造に関する。
【背景技術】
【０００２】
凡そ吊りランプ・卓上ランプ・スタンドランプ及び壁掛け式ランプ…などの照明器具は、すべて住まいの照明器具に応用されるもので、上述照明器具の照明によって、夜間照明又は室内ムードの調節などの目的を達成することが出来る；従って、照明器具の便利さは疑問の余地がない、しかし、照明器具は実用的ではあるが、なお下記のような欠点がある、
１．          
従来の照明器具に採用されるランプは大半が白熱ランプ・水銀ランプ・ナトリウムランプなどであり、その照明効果が比較的劣るため、電気消耗量が相対的に増大する問題がある。
２．          
従来の照明器具の照明角度は、一方方向のみに照射されるので、均一な照明が得られない。
３．          
従来の照明器具の造形は単調で、変化性が全くないので、相対的に視覚効果が思わしくない。
此れによって分かるように、上述従来の方式には尚幾多の欠点があり、よい設計とは言い難く、が待たれていた。
本案考案者は、上述従来方式に派生する各項の欠点に鑑み、極力新規改善を試み、且つ長年苦心研鑽の末、ついに本案照明器具構造の研究開発に成功した。
【考案の開示】
【考案が解決しようとする課題】
【０００３】
本考案の目的は、電気回路板及び照明器具の造形を、同じ幾何的造形或いは放射線的造形で製作することによって、組み立て易い、照明が均一な照明器具の構造を提供することにある。
【考案の効果】
【０００４】
本考案の提供する照明器具の構造は、その他従来の技術に比べ、更に下記のような長所がある、
1、本考案は、電気回路板及び照明器具をすべて同じ幾何的造形或いは放射線的造形で作成することによって、組み立てを便利にしている。
2、本考案のランプカバー造形は、電気回路板に合わせて設置され、電気回路板上の発光体をランプカバーの方々に配置し、照明が均一になるようにしてある。
3、本考案は、特殊な造形及び美観効果が優れているなどの長所があり、ユーザーの購買意欲を刺激できる。
【課題を解決するための手段】
【０００５】
上述目的を達成するため、本考案の提供する照明器具の構造は、電気回路板及びランプカバーを含み、前記電気回路板は、放射線状又は線形渦巻き方式によって任意の幾何的形体として作成し、且つ前記電気回路板の上に複数の発光体を配置してある；前記ランプカバーは、電気回路板と同じ造形で作られているため、組み立てが便利である；又、電気回路板の放射線状及び線形渦巻き方式に従って、ランプカバー内の方々に発光体が配置してあるため、均一な照明が得られる。
【考案を実施するための最良の形態】
【０００６】
図１及び図２を参照して、本考案の提供する照明器具の構造は、主として、
放射線状の方式で作成され、且つその中央部に結合穴１１を設け、複数の発光体２を配置し、前記発光体２は、LEDであってよいことを特徴とする電気回路板１と；
電気回路板１と同じ造形で作成され、その中央に結合穴３１を設けたランプカバー３と、を含む；
【０００７】
前記電気回路板１を直接ランプカバー３の中に位置決めして結合し、電気回路板１によってランプカバー３の内部を敷き詰め、且つ前記ランプカバー３及び電気回路板１の結合穴３１・１１は相互対応している；そして、電気回路板１とランプカバー３の位置決め方式は、締め付け部品或いはその他の位置決め方式によって固定される（図示せず）、本考案は此れに対して制限をしない。
尚、前記ランプカバー３は、放熱材質によって作られてよく、電気回路１をランプカバー３の内表面に貼り付けた場合、前記ランプカバー３は放熱体の役割を果たし、発光体２から生じる熱源を速やかにランプカバー３の外へ排出し、快速に放熱する目的を達成し、更に発光体２の使用寿命を延長することが出来る。
【０００８】
図３〜図５は、本考案のその他の実施略図である、その中で、前記電気回路板１は線形渦巻き方式によって任意の幾何図形を形成することが出来る；図３に示すように、前記電気回路板１及びランプカバー３は、円形渦巻き方式であってもよく、或いは図四に示すように、前記電気回路板１及びランプカバー３は、三角形渦巻き方式であってもよく、或いは図五に示すように、前記電気回路板１及びランプカバー３は、四角形渦巻き方式であってもよく、或いは、その他の幾何的造形であってもよく、本考案は此れについて制限しない。
【０００９】
図６A・Bは、本考案の操作略図であり、卓上照明器具として応用する場合は、電気回路板１を結合したランプカバー３を照明器具の支柱４に位置決めし、照明器具の支柱４を電気回路板１及びランプカバー３の結合穴１１・３１に貫通させ、発光体２から生じる光源が、ランプカバー３の方々を照射し、均一な照明を実現する。
【００１０】
上述詳細な説明は本考案の実行可能な実施例に対する具体的説明である、但しこの実施例は本考案の実用新案登録請求の範囲を制限するものではなく、凡そ本考案の技芸精神を逸脱せずなされる等価実施或いは変更は、すべて本案の実用新案登録請求の範囲に含まれるものとする。
【００１１】
以上を総合すると、本案は空間形態上で確かに創造的であるのみならず、且つ従来の比べ、上述の多項目にわたる効能を備えており、既に十分新規性及び進歩性の法定実用新案登録請求の要件を満たしておるものとして、茲に法によって請求する次第である。
【図面の簡単な説明】
【００１２】
【図１】本考案に係る照明器具構造の分解略図である。
【図２】本考案に係る照明器具構造の斜視略図である。
【図３】本考案に係る照明器具構造の実施略図である。
【図４】本考案に係る照明器具構造の別の実施略図である。
【図５】本考案に係る照明器具構造のもう一つ別の実施略図である。
【図６Ａ】本考案に係る照明器具構造の操作状態の略図である。
【図６Ｂ】本考案に係る照明器具構造の操作状態の略図である。
【符号の説明】
【００１３】
１    電気回路板
１１  結合穴
２    発光体
３    ランプカバー
３１  結合穴
４    照明器具の支柱
【図１】
0003133078.tif 000003
【図２】
0003133078.tif 000004
【図３】
0003133078.tif 000005
【図４】
0003133078.tif 000006
【図５】
0003133078.tif 000007
【図６Ａ】
0003133078.tif 000008
【図６Ｂ】
0003133078.tif 000009